(57)【特許請求の範囲】
【請求項１】
以下に記載したａ〜ｆの各構成要件を組み合わせてなる脱穀機の揺動選別装置、
ａ、扱胴１を軸架する入口側板２と出口側板３と、その両側板２、３の中間にあって、前記出口側板３に接近した位置に配置した中側板４とによって扱室５の機枠６を構成したこと、
ｂ、該扱室５は、前記入口側板２と出口側板３との間に扱胴１が軸架され、入口側板２と前記中側板４との間には前記扱胴１の外周に位置する選別網７が張設され、出口側板３と前記中側板４との間には下方へ開口した排塵口８を構成したこと、
ｃ、フィ−ドチエン９は、前記扱室５の一側に開口している扱口１０に沿わせて設け、穀稈を挾持して搬送するように構成したこと、
ｄ、選別室１１は、前記扱室５の下方において、穀粒選別方向の上手側から移送棚１２、チャフシ−ブ１３、ストロ−ラック１４の順に配置して一体に枠組みした揺動選別棚１５を揺動自由に架設して構成したこと、
ｅ、前記移送棚１２は、前記選別網７の下方において、穀粒選別方向の上手部分を傾斜移送棚１２ａとし、下手部分を補助移送棚１２ｂとして接続させて設け、前記傾斜移送棚１２ａは、前記フィ−ドチエン９側に他方側より低い誘導傾斜を与えてその上面に誘導移送杆１６、１６’を設け、前記補助移送棚１２ｂをほぼ水平状態に構成したこと、
ｆ、前記傾斜移送棚１２ａは、前記補助移送棚１２ｂと接続する終端部分を前記中側板４より穀粒選別方向の上手側に位置させて設け、さらに、脱穀機の切断側面視において、補助移送棚１２ｂを傾斜移送棚１２ａよりも低位に設けることで、傾斜移送棚１２ａの穀粒選別方向下手側の補助移送棚１２ｂの上方であって中側板４との間に脱穀後の被選別物が通過する広い流通空間ａを構成したこと。
【発明の詳細な説明】
【０００１】
【発明の属する技術分野】
この発明は、脱穀機の揺動選別装置に関し、農業機械の技術分野に属する。
【０００２】
【従来の技術】
従来から脱穀機は、入口側板と出口側板と中側板との枠組みにより強度を保つ機枠構成になっており、これらの各側板によって扱室が構成されている。そして、揺動選別棚は、選別室に揺動自由に吊持されて上側の扱室や処理室から落下してきた被選別物を、唐箕によって起風される選別風との共同作用により選別する構成となっている。更に、揺動選別棚は、穀粒選別方向の上手側に位置する移送棚のフィ−ドチエン側を反対側より低く傾斜して設けられ、扱室から片寄って漏下してきた脱穀穀粒を、フィ−ドチエン側に揺り寄せて均一な穀粒層にする構成となっている。
【０００３】
【発明が解決しようとする課題】
上述の如く揺動選別棚は、扱胴の回転に起因して脱穀穀粒が扱室から片寄って選別室に漏下するのを事後の選別作用を適確に行うために均一な穀粒層に修正するために移送棚を傾斜して構成している。このように傾斜した移送棚によって、脱穀穀粒は、傾斜方向に揺り寄せられて横方向が均一な層になり、下手側にあるチャフシ−ブ等による選別が適確に行われることになる。
【０００４】
この場合、傾斜した移送棚が、中側板の下端部分に接近する構成になるから移送棚の終端部に達した脱穀穀粒は、中側板に移送を阻止されて円滑な移送が阻害されて詰り現象が起っていた。特に、麦の脱穀作業にあたっては、稲に比較して麦粒や麦のいが、稈屑等の扱室から漏下する量が多くなり、移送棚と中側板との間で詰ってトラブルが発生する課題があった。
【０００５】
【課題を解決するための手段】
この発明は、上述の如き従来技術のもつ課題を解決するために、次の技術的手段を講じた。すなわち、扱胴１を軸架する入口側板２と出口側板３と、その両側板２、３の中間にあって、前記出口側板３に接近した位置に配置した中側板４とによって扱室５の機枠６を構成し、該扱室５は、前記入口側板２と出口側板３との間に扱胴１が軸架され、入口側板２と前記中側板４との間には前記扱胴１の外周に位置する選別網７が張設され、出口側板３と前記中側板４との間には下方へ開口した排塵口８を構成し、フィ−ドチエン９は、前記扱室５の一側に開口している扱口１０に沿わせて設け、穀稈を挾持して搬送するように構成し、選別室１１は、前記扱室５の下方において、穀粒選別方向の上手側から移送棚１２、チャフシ−ブ１３、ストロ−ラック１４の順に配置して一体に枠組みした揺動選別棚１５を揺動自由に架設して構成し、前記移送棚１２は、前記選別網７の下方において、穀粒選別方向の上手部分を傾斜移送棚１２ａとし、下手部分を補助移送棚１２ｂとして接続させて設け、前記傾斜移送棚１２ａは、前記フィ−ドチエン９側に他方側より低い誘導傾斜を与えてその上面に誘導移送杆１６、１６’を設け、前記補助移送棚１２ｂは、ほぼ水平状態に保持するように構成し、前記傾斜移送棚１２ａは、前記補助移送棚１２ｂと接続する終端部分を前記中側板４より穀粒選別方向の上手側に位置させて設け、さらに、脱穀機の切断側面視において、補助移送棚１２ｂを傾斜移送棚１２ａよりも低位に設けることで、傾斜移送棚１２ａの穀粒選別方向下手側の補助移送棚１２ｂの上方であって中側板４との間に脱穀後の被選別物が通過する広い流通空間ａを構成した脱穀機の揺動選別装置である。
【０００６】
【発明の実施の形態】
以下、この発明の実施例を具体的に説明する。まず、コンバインの全体構成は、クロ−ラ１７を有する走行車体１８上に脱穀機１９を搭載し、その前側には圃場の穀稈を刈取って搬送する刈取前処理装置２０を設けて構成している。
【０００７】
脱穀機１９は、入口側板２と出口側板３とその中間に位置する中側板４とを枠組みして主要部である扱室５の機枠６を構成している。そして、扱室５は、前記入口側板２と出口側板３との間に扱胴１を軸架し、前記入口側板２と前記中側板４との間には扱胴１の外周に位置する選別網７が張設され、出口側板３と中側板４との間には下方へ開口した排塵口８を設けて構成している。
【０００８】
そして、扱室５は、一側に沿って開口した扱口１０に、挾持杆２１とによって穀稈を挾持して搬送するフィ−ドチエン９を設け、矢印の方向（図２参照）に回転する扱胴１によって下扱ぎ式に構成している。そして、二番処理室２２は、フィ−ドチエン９の位置から反対側において、扱室５に併設し、二番処理胴２３を内装軸架しており、供給された二番物を扱室５の処理方向とは逆方向に移送処理して終端部に開口した排塵口２４から後述の選別室１１に排塵する構成としている。そして、排塵処理室２５は、上述の二番処理室２２に接続して後方に延長して前記扱室５から排塵物が供給されるように連通し、処理胴２６を内装軸架して排塵物を処理しながら下方の選別室１１に落下する構成としている。
【０００９】
つぎに、選別室１１は、前記扱室５の下方に配置し、上側に揺動選別棚１５を吊持し、その下側には穀粒選別方向の上手側から、圧風唐箕２７、一番移送螺旋２８、二番移送螺旋２９の順に軸装して構成している。そして、揺動選別棚１５は、穀粒選別方向の上手側から移送棚１２、チャフシ−ブ１３、ストロ−ラック１４の順番に配置して一体的に枠組み構成している。なお、３０はグレンシ−ブである。
【００１０】
そして、移送棚１２は、扱室５の選別網７の下方において、穀粒選別方向の上手部分を傾斜移送棚１２ａとし、それより下手部分を補助移送棚１２ｂとして接続させて構成している。そして、傾斜移送棚１２ａは、図２に示すように、フィ−ドチエン９側を他方側より低くして誘導傾斜を与え、しかも、その上面には誘導移送杆１６、１６’を設け、その終端部を上述のとおりほぼ水平状態にした補助移送棚１２ｂに接続して構成している。前述の誘導移送杆１６、１６’は、傾斜移送棚１２ａ上に漏下してきた脱穀穀粒を揺動作用に関連して誘導傾斜の低い側に誘導案内する構成としている。
【００１１】
そして、傾斜移送棚１２ａは、補助移送棚１２ｂと接続する終端部分を前記中側板４の下端部より穀粒選別方向の上手側の離れた部位に位置し、前記中側板４との間に広い処理物流通空間ａを形成して構成している。すなわち、処理物流通空間ａは、麦の脱穀に際して選別網７から漏下する処理物が増大しても傾斜移送棚１２ａから補助移送棚１２ｂへ、更に、チャフシ−ブ１３へと滞ることなく移送できる構成となっている。
【００１２】
３１は二番揚穀装置、３２は吸塵用の横断流ファン、３３は選別室１１の終端部を機外に開放した排塵口である。そして、仕切誘導板３４は、図６及び図７に示すように、排塵処理室２５の終端部分において、機体の内側から下方に向けて開口した排塵口３５と前記横断流ファン３２との間を仕切って設け、排塵処理室２５から排塵される排塵物を下方の揺動選別棚１５上に誘導する構成としている。これによって仕切誘導板３４は、排塵物を揺動選別棚１５上に落下して、従来のように横断流ファン３側に排塵して長藁が回転軸に巻き付く等の障害を未然に防止することができる。
【００１３】
別実施例１
つぎに、図８及び図９に示す別実施例１について説明する。この実施例は、処理胴４０を比較的簡単に脱穀機体４１の後部から抜取りメンテナンスを容易に行うことができる構成としたである。まず、処理胴４０は、処理室４２内に軸架され、前部から供給された未処理物を処理して後部から下方の揺動選別棚４３上に排塵する構成としている。そして、処理胴４０は、前部が駆動軸４４の駆動輪体４５に縦動輪体４６を係脱自由に係合できるカップリング方式にして伝動可能に連結し、後部の軸受４７を支持板４８にねじ４９によって取り付けて構成している。そして、処理室後側板５０は、内側の先端縁を処理胴４０の内側まで延長して入り込ませ、支持板４８の前側にねじ５１によって着脱自由に取り付けて処理室４２を構成している。なお、５２は処理室前側板である。
【００１４】
つぎに、以上のように構成した処理胴４０の取外し手順を説明する。まず、支持板４８と処理室後側板５０は、脱穀機体４１の外側後部からねじ４９と５１とを外して脱穀機体４１から取り外す。そして、処理胴４０は、後方に引くと前部のカップリング式に係合している縦動輪体４６を駆動軸４４の駆動輪体４５から分離することができ、そのまま後方に引き出して取りだすことができる。このようにして、処理胴４０を処理室４２から後方に抜き取ると、処理胴４０と処理室４２は、きわめて容易に清掃等のメンテナンスを行うことができる。
【００１５】
別実施例２
つぎに、図１０乃至図１３に基づいて別実施例２を説明する。排藁カッタ−６０は、掻込円板６０ａと切断円板６０ｂとからなるディスクカッタ−として脱穀機６１の排藁位置に連結している。そして、ノッタ−６２は、結束通路６３を挾んで一側にニ−ドル６４を、他側にノッタ−ビル・紐ホルダ−６５を設けて供給された排藁を結束する構成とし、前記排藁カッタ−６０の後部に連結している。
【００１６】
そして、ノッタ−・カッタ−切換板６６は、排藁チエン６７の下方で、かつ、排藁カッタ−６０の藁供給口６８の上方において、後部を支点にして枢着し上下切換操作自由に構成している。６９は切換操作ワイヤ−を示し、７０は復帰スプリングを示す（図１３参照）。なお、ノッタ−・カッタ−切換板６６は、上面に切換挾持杆７１を設け、排藁カッタ−６０の藁供給口６８を塞いだ状態のときには固定挾持杆７２に連続して排藁を後方のノッタ−６２側に案内する構成としている。
【００１７】
そして、排藁案内通路７３は、上記ノッタ−・カッタ−切換板６６の上面と、これに接続させて下方に傾斜した傾斜通路７４とから構成している。前述のノッタ−６２は、図１２に示すように、ベルトテンションクラッチ装置７５を介して伝動される構成とし、テンションプ−リ−７６に操作ワイヤ−７７と復帰スプリング７８とを連結して断続操作ができる構成としている。そして、操作ワイヤ−７７と前記切換操作ワイヤ−６９は、図１１に示すように、二番揚穀装置７９の機枠の一方側に設けた受部材８０にアウタ−を支持し、他方側に基部を枢着して回動自由に設けた揺動杆８１にインナ−を連結している。そして、揺動杆８１は、操縦席の操作レバ−に連結した操作ワイヤ−８２の端部を連結し、揺動操作ができる構成としている。
【００１８】
なお、操作ワイヤ−８２は、一番揚穀装置８３の機枠に中間部分を支持させて構成している。このように構成した別実施例２において、ノッタ−作業に切り換える場合には、まず、操縦席の操作レバ−を切り換え操作すると、揺動杆８１は、操作ワイヤ−８２に引かれて枢着部を支点として矢印の方向（図１１参照）に回動して２本の操作ワイヤ−６９と７７とを連動させて、一方がテンションプ−リ−７６を操作してベルトテンションクラッチ装置７５を入りにし（図１２参照）、他方がノッタ−・カッタ−切換板６６を藁供給口６８を塞ぐ位置に回動させる（図１３の仮想線参照）。
【００１９】
したがって、排藁は、排藁チエン６７によって移送されながら固定挾持杆７２から切換挾持杆７１に受け継がれ、ノッタ−・カッタ−切換板６６の上面通路から傾斜通路７４をへて結束通路に供給されてニ−ドル６４とノッタビル・紐ホルダ−６５との作用によって結束される。つぎにその作用について説明する。
【００２０】
コンバインは、エンジンを始動して機体の回転各部を駆動しながら圃場内を前進させて刈取脱穀作業を開始する。すると、圃場の穀稈は、走行車体１８の前部にある刈取前処理装置２０によって刈り取られ、後方上部に搬送されてフィ−ドチエン９の始端部に受け継がれ、株元が挾持されながら搬送されて穂先部分が扱室５に供給される。このようにして、扱室５に供給された穀稈は、回転駆動されている扱胴１の作用を受けて脱穀処理され、脱粒された穀粒が選別網７から下方の選別室１１に漏下し、一部は扱胴１に持ち回られて、更に、脱粒処理を受けながら扱室５内を後方に移送される。そして、脱穀物は、排塵口８に達して選別室１１に落下するものと排塵処理室２５に供給されるものとに分かれて送られる。
【００２１】
そのとき、選別室１１においては、上側で揺動選別棚１５が前後に揺動作用を繰り返しており、その下側では、回転駆動されている圧風唐箕２７によって起風された選別風が後部の排塵口３３方向に向けて吹き出されている。このような作業中において、扱胴１は、図２の矢印で示す方向に高速回転して脱穀物を持ち回りながら、扱室１の選別網７から下方の選別室１１に漏下するから、脱穀穀粒は回転方向に片寄って移送棚１２上に達する。また、移送棚１２上には二番処理室２２からも処理物が落下してくる。
【００２２】
以上のように、移送棚１２上に達した脱穀穀粒は、傾斜移送棚１２ａ上で誘導傾斜の低いフィ−ドチエン９に寄せられながら下手側に移送される。このとき、誘導移送杆１６、１６’は、揺動選別棚１５の揺動との共同作用によって高い側（フィ−ドチエン９の反対側）に片寄って落下してくる脱穀穀粒を誘導傾斜の低いフィ−ドチエン９側に移送する。したがって、傾斜移送棚１２ａ上の処理部は、補助移送棚１２ｂに達するまでには横方向がほとんど均一な層状に均らされて移送される。そして、脱穀穀粒は、さらに下手側に移送されてチャフシ−ブ１３に達し、揺動作用に風選作用が加わって選別され、一番物、二番物、排塵物に選別分離される。このようにして選別された一番物は、一番移送螺旋２８に収集されて機外に搬送され、グレンタンクに供給されて貯溜され、二番物は、二番移送螺旋２９に集められて一側に搬送され、二番揚穀装置３１に供給されて揚穀作用を受け二番処理室２２に供給される。そして、排塵物は、その一部が横断流ファン３２に吸引され機外に排塵され、残りの比較的長い藁屑等がストロ−ラック１４の選別を受けた後、先端から排塵口３３を経て機外に排塵される。
【００２３】
また、二番処理室２２や排塵処理室２５から選別室１１に落下した被選別物も、上述と同様にして揺動作用と風選作用とを受けて選別処理される。このような脱穀作業中において、前述した傾斜移送棚１２ａは、補助移送棚１２ｂと接続する終端部分が、扱室５の機枠６を枠組み構成している中側板４の下部から穀粒選別方向の上手側に位置しており、その中側板４との間に広い処理物流通空間ａが形成されているから、傾斜移送棚１２ａから補助移送棚１２ｂに移送される過程の脱穀穀粒は、中側板４の下端部に移動を阻止される等の障害がほとんどなく、円滑に移送されるものである。
【００２４】
【発明の効果】
この発明は、扱胴１を軸架する入口側板２と出口側板３と、その両側板２、３の中間にあって、前記出口側板３に接近した位置に配置した中側板４とによって扱室５の機枠６を構成し、該扱室５は、前記入口側板２と出口側板３との間に扱胴１が軸架され、入口側板２と前記中側板４との間には前記扱胴１の外周に位置する選別網７が張設され、出口側板３と前記中側板４との間には下方へ開口した排塵口８を構成し、フィ−ドチエン９は、前記扱室５の一側に開口している扱口１０に沿わせて穀稈を挾持して搬送するように構成し、選別室１１は、前記扱室５の下方において、穀粒選別方向の上手側から移送棚１２、チャフシ−ブ１３、ストロ−ラック１４の順に配置して一体に枠組みした揺動選別棚１５を揺動自由に架設して構成し、前記移送棚１２は、前記選別網１１の下方において、穀粒選別方向の上手部分を傾斜移送棚１２ａとし、下手部分を補助移送棚１２ｂとして接続させて設け、前記傾斜移送棚１２ａは、前記フィ−ドチエン９側に他方側より低い誘導傾斜を与えてその上面に誘導移送杆１６、１６’を設け、前記補助移送棚１２ｂは、ほぼ水平状態に保持するように構成し、前記傾斜移送棚１２ａは、前記補助移送棚１２ｂと接続する終端部分を前記中側板４より穀粒選別方向の上手側に位置させて設け、さらに、脱穀機の切断側面視において、補助移送棚１２ｂを傾斜移送棚１２ａよりも低位に設けることで、傾斜移送棚１２ａの穀粒選別方向下手側の補助移送棚１２ｂの上方であって、中側板４との間に脱穀後の被選別物が通過する広い流通空間ａを構成したものであるから、移送棚は、扱室から一側に片寄って漏下してきた脱穀穀粒を傾斜移送棚によって他側に誘導させながら移送して均一な層にして補助移送棚に送ることができるものでありながら、広い処理物流通空間を移動するから、中側板によって移送障害を受けることがなく、麦のように多量の脱穀物が一度に漏下してきても詰ることなく適確にチャフシ−ブ側に移送できる効果を有するものである。
【図面の簡単な説明】
【図１】図面はこの発明の実施例を示し、切断側面図である。
【図２】図面はこの発明の実施例を示し、切断正面図である。
【図３】図面はこの発明の実施例を示し、揺動選別棚の平面図である。
【図４】図面はこの発明の実施例を示し、切断平面図である。
【図５】図面はこの発明の実施例を示し、コンバインの側面図である。
【図６】図面はこの発明の実施例を示し、一部の切断背面図である。
【図７】図面はこの発明の実施例を示し、一部の内部平面図である。
【図８】図面はこの発明の別実施例１を示し、分解斜面図である。
【図９】図面はこの発明の別実施例１を示し、断面図である。
【図１０】図面はこの発明の別実施例２を示し、作用側面図である。
【図１１】図面はこの発明の別実施例２を示し、斜面図である。
【図１２】図面はこの発明の別実施例２を示し、側面図である。
【図１３】図面はこの発明の別実施例２を示し、作用側面図である。
【符号の説明】
１      扱胴              ２      入口側板        ３    出口側板
４      中側板            ５      扱室            ６    機枠
７      選別網            ８      排塵口          ９    フィ−ドチエン
１０      扱口            １１      選別室        １２    移送棚
１２ａ    傾斜移送棚      １２ｂ  補助移送棚      １３    チャフシ−ブ
１４      ストロ−ラック  １５    揺動選別棚      １６、１６’誘導移送杆
【図１】
0003620171.tif 000002
【図２】
0003620171.tif 000003
【図３】
0003620171.tif 000004
【図４】
0003620171.tif 000005
【図５】
0003620171.tif 000006
【図６】
0003620171.tif 000007
【図７】
0003620171.tif 000008
【図８】
0003620171.tif 000009
【図９】
0003620171.tif 000010
【図１０】
0003620171.tif 000011
【図１１】
0003620171.tif 000012
【図１２】
0003620171.tif 000013
【図１３】
0003620171.tif 000014